(57)【要約】【課題】異種複数枚を同時断裁して断裁回数を縮減することにより、生産性を向上する。【解決手段】印刷データからトンボマークにより示される断裁位置を検出する断裁位置検出手段と、印刷データを印刷用紙に対して面付けする面付手段と、面付手段による面付け後の各断裁位置で印刷用紙を断裁する際の断裁機へのセット方向を決定する断裁方向決定手段と、断裁位置からセット方向にある印刷用紙の辺までに相当する断裁寸法を各断裁位置について算出する断裁寸法算出手段と、断裁寸法を記憶する断裁寸法記憶手段と、を備える。面付手段は、異なる印刷用紙に配置するか又は同一印刷用紙上で一直線上から外して配置する２つの断裁位置に関し、断裁寸法記憶手段に記憶された既面付の印刷データ（図９(a)）の断裁寸法と、未面付の印刷データ（図９(b)）の断裁寸法とが少なくとも一組において一致するように当該未面付の印刷データを面付けする。【選択図】図９
2018001472.tif 000002
【特許請求の範囲】
【請求項１】
印刷データからトンボマークにより示される断裁位置を検出する断裁位置検出手段と、
前記印刷データを印刷用紙に対して面付けする面付手段と、
前記面付手段による面付け後の各断裁位置で印刷用紙を断裁する際の断裁機へのセット方向を決定する断裁方向決定手段と、
前記断裁位置から前記セット方向にある印刷用紙の辺までに相当する断裁寸法を各断裁位置について算出する断裁寸法算出手段と、
前記断裁寸法を記憶する断裁寸法記憶手段と、を備え、
前記面付手段は、異なる印刷用紙に配置するか又は同一印刷用紙上で一直線上から外して配置する２つの断裁位置に関し、前記断裁寸法記憶手段に記憶された既面付の印刷データの断裁寸法と、未面付の印刷データの断裁寸法とが少なくとも一組において一致するように当該未面付の印刷データを面付けする画像形成装置。
【請求項２】
前記面付手段は、既面付の印刷データの断裁寸法と、未面付の印刷データの断裁寸法とが一致するように当該未面付の印刷データを面付けするに際して、２通り以上の面付け位置があるとき、断裁寸法が長くとれることを優先して決定する請求項１に記載の画像形成装置。
【請求項３】
断裁を手引きする断裁手引き情報をトンボ外領域に印刷画像として付与する断裁手引き手段を備え、
前記断裁手引き手段は、前記面付手段により断裁寸法を一致させた組が、どのトンボマークとどのトンボマークとの組みかを示す画像を、断裁手引き情報として付与する請求項１又は請求項２に記載の画像形成装置。
【請求項４】
前記断裁手引き手段は、各断裁位置で印刷用紙を断裁する際の断裁機へのセット方向を示す画像を、各断裁位置に対応して、断裁手引き情報として付与する請求項３に記載の画像形成装置。
【請求項５】
各断裁位置に断裁順を付与する断裁順付与手段を備え、
前記断裁手引き手段は、前記断裁順付与手段により付与された断裁順を示す画像を、各断裁位置に対応して、断裁手引き情報として付与する請求項３又は請求項４に記載の画像形成装置。
【請求項６】
前記断裁手引き手段は、各一の断裁位置に関する断裁手引きを、当該一の断裁位置で断裁する時に、当該一の断裁位置に接するトンボ内領域から切り離される当該一の断裁位置に接するトンボ外領域に付与する請求項３から請求項５のうちいずれか一に記載の画像形成装置。
【請求項７】
前記面付手段は、前記断裁寸法記憶手段に記憶された既面付の印刷データの断裁寸法と、未面付の印刷データの断裁寸法とが少なくとも一組において一致するように当該未面付の印刷データを面付けすることを、当該既面付の印刷データが面付けされた印刷用紙と、当該未面付の印刷データを面付けする印刷用紙とが異なる条件で機能する請求項１から請求項６のうちいずれか一に記載の画像形成装置。
【請求項８】
前記面付手段は、前記断裁寸法記憶手段に記憶された既面付の印刷データの断裁寸法と、未面付の印刷データの断裁寸法とが少なくとも一組において一致するように当該未面付の印刷データを面付けすることを、当該既面付の印刷データが面付けされた印刷用紙と、当該未面付の印刷データを面付けする印刷用紙とが同一である条件で機能する請求項５又は請求項５を引用する請求項６に記載の画像形成装置。
【請求項９】
前記面付手段は、前記断裁順付与手段と連携し、同一の印刷用紙に印刷する複数の印刷データに対して、一の断裁により分かれる別葉に断裁寸法が一致する組みの一方と他方とが分かれるように面付けし、当該一の断裁の後に当該一致する組みの同時断裁ができるようにする請求項８に記載の画像形成装置。
【請求項１０】
前記面付手段は、前記断裁順付与手段と連携し、断裁により切り離される順にページ順が並ぶように面付けする請求項８又は請求項９に記載の画像形成装置。
【請求項１１】
コンピューターを、
印刷データからトンボマークにより示される断裁位置を検出する断裁位置検出手段と、
前記印刷データを印刷用紙に対して面付けする面付手段と、
前記面付手段による面付け後の各断裁位置で印刷用紙を断裁する際の断裁機へのセット方向を決定する断裁方向決定手段と、
前記断裁位置から前記セット方向にある印刷用紙の辺までに相当する断裁寸法を各断裁位置について算出する断裁寸法算出手段と、
前記断裁寸法を記憶する断裁寸法記憶手段として機能させるための画像形成装置の制御プログラムであって、
前記面付手段は、異なる印刷用紙に配置するか又は同一印刷用紙上で一直線上から外して配置する２つの断裁位置に関し、前記断裁寸法記憶手段に記憶された既面付の印刷データの断裁寸法と、未面付の印刷データの断裁寸法とが少なくとも一組において一致するように当該未面付の印刷データを面付けする画像形成装置の制御プログラム。
【発明の詳細な説明】
【技術分野】
【０００１】
本発明は、断裁位置を示すトンボ付き原稿の面付けを行う画像形成装置及びその制御プログラムに関する。
【背景技術】
【０００２】
ＰＯＤ（プリント・オンデマンド）業界では印刷会社に原稿を持ち込む際に、クライアントがふちなしの仕上がりを希望する場合、塗り足しとトリムマーク（外トンボ）を付与した原稿を入稿する。
印刷会社では入稿されたトンボ付き原稿を印刷し、オフライン断裁機で印刷物の４辺を断裁することでふちなし仕上がりの印刷物を作成する。
断裁機１００は図１に示すような機構で、断裁したい寸法を断裁機１００へ入力すると、電動紙あて部１０１が入力された位置に移動することで断裁位置１０２が決められる。電動紙あて部１０１の側方には固定の紙あて部１０３，１０４が設置されている。
断裁位置１０２決定後に紙あて部１０１，１０３（又は１０１，１０４）の角に用紙Ｐを合わせ、断裁ボタンを押下することで断裁機１００にて用紙Ｐがプレス（紙押え）され、断裁位置１０２に刃が落ち、入力した寸法で用紙Ｐが断裁される。断裁機の機種や用紙により異なるが、例えば一度に数千枚の用紙を断裁する。一度に断裁される複数の用紙は、重ねて配置されるほか、図１に示すように紙あて部１０３，１０４が左右にある断裁機１００では、左右にそれぞれセットしてまとめて一度に断裁することができる。同時に断裁できる用紙は、電動紙あて部１０１に縁を揃えて断裁位置１０２にトンボの位置（断裁したい位置）が一致するものである。
当然に、印刷時の用紙サイズより、断裁後の個々の印刷物（製品）のサイズが小さくなる。以下、明確のため、断裁により切り出すサイズを画像断裁サイズと呼ぶ。用紙への印刷により画像断裁サイズが四隅のトンボによって示される。電動紙あて部１０１から断裁位置１０２までの寸法を断裁寸法（１０５）と呼ぶ。
【０００３】
特許文献１には、一枚の用紙に複数の異なる画像断裁サイズの画像を多面付けする際に、断裁作業を容易にするように、同じサイズごとに、複数の画像で断裁位置が一直線上に並ぶように並べ替えている。
【先行技術文献】
【特許文献】
【０００４】
【特許文献１】特開２００９-１５２６７１号公報
【発明の概要】
【発明が解決しようとする課題】
【０００５】
しかし、小ロット印刷が多いＰＯＤに持ち込まれる原稿は多品種であるため、異種複数枚を同時断裁して断裁回数を縮減することで効率よく生産したいという課題がある。
例えば、それぞれ異なる用紙に印刷されたＡ４サイズとレターサイズのような画像断裁サイズの異なる異種複数枚を同時断裁できないかという課題、多面付けされた用紙を一回断裁した後にできる異種複数枚を同時断裁できないかという課題がある。
特許文献１に記載の発明にあっては、同じように多面付けされた同種は同時に断裁できるが、異種複数枚を同時に断裁できるように画像をレイアウトする工夫が見られない。
【０００６】
本発明は以上の従来技術における問題に鑑みてなされたものであって、異種複数枚を同時断裁して断裁回数を縮減することにより、生産性を向上することを課題とする。
ことを課題とする。
【課題を解決するための手段】
【０００７】
以上の課題を解決するための請求項１記載の発明は、印刷データからトンボマークにより示される断裁位置を検出する断裁位置検出手段と、
前記印刷データを印刷用紙に対して面付けする面付手段と、
前記面付手段による面付け後の各断裁位置で印刷用紙を断裁する際の断裁機へのセット方向を決定する断裁方向決定手段と、
前記断裁位置から前記セット方向にある印刷用紙の辺までに相当する断裁寸法を各断裁位置について算出する断裁寸法算出手段と、
前記断裁寸法を記憶する断裁寸法記憶手段と、を備え、
前記面付手段は、異なる印刷用紙に配置するか又は同一印刷用紙上で一直線上から外して配置する２つの断裁位置に関し、前記断裁寸法記憶手段に記憶された既面付の印刷データの断裁寸法と、未面付の印刷データの断裁寸法とが少なくとも一組において一致するように当該未面付の印刷データを面付けする画像形成装置である。
【０００８】
請求項２記載の発明は、前記面付手段は、既面付の印刷データの断裁寸法と、未面付の印刷データの断裁寸法とが一致するように当該未面付の印刷データを面付けするに際して、２通り以上の面付け位置があるとき、断裁寸法が長くとれることを優先して決定する請求項１に記載の画像形成装置である。
【０００９】
請求項３記載の発明は、断裁を手引きする断裁手引き情報をトンボ外領域に印刷画像として付与する断裁手引き手段を備え、
前記断裁手引き手段は、前記面付手段により断裁寸法を一致させた組が、どのトンボマークとどのトンボマークとの組みかを示す画像を、断裁手引き情報として付与する請求項１又は請求項２に記載の画像形成装置である。
【００１０】
請求項４記載の発明は、前記断裁手引き手段は、各断裁位置で印刷用紙を断裁する際の断裁機へのセット方向を示す画像を、各断裁位置に対応して、断裁手引き情報として付与する請求項３に記載の画像形成装置である。
【００１１】
請求項５記載の発明は、各断裁位置に断裁順を付与する断裁順付与手段を備え、
前記断裁手引き手段は、前記断裁順付与手段により付与された断裁順を示す画像を、各断裁位置に対応して、断裁手引き情報として付与する請求項３又は請求項４に記載の画像形成装置である。
【００１２】
請求項６記載の発明は、前記断裁手引き手段は、各一の断裁位置に関する断裁手引きを、当該一の断裁位置で断裁する時に、当該一の断裁位置に接するトンボ内領域から切り離される当該一の断裁位置に接するトンボ外領域に付与する請求項３から請求項５のうちいずれか一に記載の画像形成装置である。
【００１３】
請求項７記載の発明は、前記面付手段は、前記断裁寸法記憶手段に記憶された既面付の印刷データの断裁寸法と、未面付の印刷データの断裁寸法とが少なくとも一組において一致するように当該未面付の印刷データを面付けすることを、当該既面付の印刷データが面付けされた印刷用紙と、当該未面付の印刷データを面付けする印刷用紙とが異なる条件で機能する請求項１から請求項６のうちいずれか一に記載の画像形成装置である。
【００１４】
請求項８記載の発明は、前記面付手段は、前記断裁寸法記憶手段に記憶された既面付の印刷データの断裁寸法と、未面付の印刷データの断裁寸法とが少なくとも一組において一致するように当該未面付の印刷データを面付けすることを、当該既面付の印刷データが面付けされた印刷用紙と、当該未面付の印刷データを面付けする印刷用紙とが同一である条件で機能する請求項５又は請求項５を引用する請求項６に記載の画像形成装置である。
【００１５】
請求項９記載の発明は、前記面付手段は、前記断裁順付与手段と連携し、同一の印刷用紙に印刷する複数の印刷データに対して、一の断裁により分かれる別葉に断裁寸法が一致する組みの一方と他方とが分かれるように面付けし、当該一の断裁の後に当該一致する組みの同時断裁ができるようにする請求項８に記載の画像形成装置である。
【００１６】
請求項１０記載の発明は、前記面付手段は、前記断裁順付与手段と連携し、断裁により切り離される順にページ順が並ぶように面付けする請求項８又は請求項９に記載の画像形成装置である。
【００１７】
請求項１１記載の発明は、コンピューターを、
印刷データからトンボマークにより示される断裁位置を検出する断裁位置検出手段と、
前記印刷データを印刷用紙に対して面付けする面付手段と、
前記面付手段による面付け後の各断裁位置で印刷用紙を断裁する際の断裁機へのセット方向を決定する断裁方向決定手段と、
前記断裁位置から前記セット方向にある印刷用紙の辺までに相当する断裁寸法を各断裁位置について算出する断裁寸法算出手段と、
前記断裁寸法を記憶する断裁寸法記憶手段として機能させるための画像形成装置の制御プログラムであって、
前記面付手段は、異なる印刷用紙に配置するか又は同一印刷用紙上で一直線上から外して配置する２つの断裁位置に関し、前記断裁寸法記憶手段に記憶された既面付の印刷データの断裁寸法と、未面付の印刷データの断裁寸法とが少なくとも一組において一致するように当該未面付の印刷データを面付けする画像形成装置の制御プログラムである。
【発明の効果】
【００１８】
本発明によれば、異なる断裁画像サイズを単面付けした２枚や、１枚に多面付けしたものを断裁してできるレイアウトの異なる２枚などの異種複数枚を同時断裁して断裁回数を縮減することにより、生産性を向上することができる。
【図面の簡単な説明】
【００１９】
【図１】本発明の一実施形態において適用する一例の断裁機の平面図である。
【図２】本発明の一実施形態に係る画像形成装置の構成ブロック図である。
【図３】本発明の一実施形態に係るプリンターコントローラーの構成ブロック図である。
【図４】本発明の一実施形態に係る画像形成装置とクライアントＰＣとの接続形態を示すネットワーク図である。
【図５】本発明の一実施形態に係るプリンターコントローラーのデータフロー図である。
【図６】本発明の一実施形態に係る画像形成装置における単面付けの場合の面付け・印刷処理のフローチャートである。
【図７】本発明の一実施形態に係る画像形成装置に入力された印刷データの用紙に対する画像平面図である。
【図８】本発明の一実施形態に係る画像形成装置に先に入力された印刷データの用紙に対する画像平面図である。
【図９】本発明の一実施形態における画像形成装置において断裁寸法を一致させる面付け処理の一例を示す画像平面図であり、(a)は先に面付け処理したものを、(b)は現在の面付け処理対象を示す。
【図１０】本発明の一実施形態に係る画像形成装置に入力された印刷データの用紙に対する画像平面図で、面付け位置を移動処理したものある。
【図１１】PostScriptでのTrimBox情報である。
【図１２】画像のトンボ部分からの断裁位置検出方法を説明するための図である。
【図１３】従来の画像形成装置に入力された印刷データの用紙に対する画像平面図で、(a)は入力されたデフォルトの１ページ分を、(b)は６ページ分を一枚の用紙に面付けしたものを示す。
【図１４】本発明の一実施形態に係る画像形成装置における多面付けの場合の面付け・印刷処理のフローチャートである。
【図１５】本発明の一実施形態に係る画像形成装置に入力された印刷データの用紙に対する画像平面図で、(a)は入力されたデフォルトの１ページ分を、(b)は３ページ分を一枚の用紙に面付けした段階のものを、(c) は４ページ分を一枚の用紙に面付けした段階のものを示す。
【図１６】図１５の続きで、(a)は５ページ分を一枚の用紙に面付けした段階のものを、(b) は６ページ分を一枚の用紙に面付けした段階のものを、(c)は断裁手引き情報を付与した段階のものを示す。
【図１７】本発明の一実施形態に係る画像形成装置により、面付けした結果と、断裁手引き情報を付与した結果と、同時断裁することとなる組みになる断裁寸法を示した用紙に対する画像平面図である。
【図１８】(a)は図１７を印刷したものに相当する印刷物平面図、(b)は計１０回のうち３回の断裁を終了した段階の印刷物平面図、(b)は計１０回のうち７回の断裁を終了した段階の印刷物平面図で断裁未完了のページに係る。
【発明を実施するための形態】
【００２０】
以下に本発明の一実施形態につき図面を参照して説明する。以下は本発明の一実施形態であって本発明を限定するものではない。
【００２１】
図１に示すような断裁機１００で断裁するための断裁位置を示すトンボマークを含む画像を本画像形成装置により印刷用紙に印刷する。四隅のトンボマークによって示される４辺断裁位置により囲まれるトンボ内領域Ｐｍに製品（印刷物）となる画像が印刷される。トンボ内領域Ｐｍの矩形サイズが画像断裁サイズであり、製品のページサイズである。断裁により切り落とされるトンボ外領域Ｐｓに、本画像形成装置により断裁順、セット方向などを示す断裁手引き情報が印刷される。
【００２２】
図２に、本画像形成装置のシステムの構成を示す。
本システムでは、コピー機能、プリンター機能、スキャン機能を有しており、原稿読み取り装置２１、プリントジョブを受信しラスターデータを生成するプリンターコントローラー２２、受信したデータを保存するための記憶装置２３、本画像形成装置を操作するための操作入力装置２４、ＣＭＹＫトナーを使用して印刷を行う印刷装置２５、これら各装置の制御を行うための制御装置２６を備えて構成される。なお、原稿読み取り装置２１を持たない構成で実施してもよい。
【００２３】
図３にプリンターコントローラー２２の構成を示す。
プリンターコントローラー２２は、ＣＰＵ２２１、ＲＡＭ２２２、ＨＤＤ２２３、ＮＩＣ２２４、Ｖｉｄｅｏ Ｉ/Ｆ２２５がありシステムバスで接続されている。また、Ｖｉｄｅｏ  Ｉ/Ｆ２２５には、画像転送用のバッファ２２６が接続されている。画像転送用バッファ２２６は、プリントエンジン２２７に画像を転送するために一時的に画像データを保存するためのバッファである。
また、本実施形態では、プリンターコントローラー２２と制御装置２６は別ハードウエアとしているが、プリンターコントローラー２２と制御装置２６は、同一ハードウエアで動作する構成でもよい。
【００２４】
図４に本画像形成装置（４０）の接続形態を示す。本画像形成装置（４０）は、ネットワークＩ/Ｆを介してネットワークに接続されており、ネットワーク上には、複数のクライアントＰＣ（４１，４２）が接続されている。本画像形成装置（４０）は、クライアントＰＣ（４１，４２）から送られてきたプリントジョブを受信して、印刷処理を行う。
【００２５】
図５に、プリンターコントローラー２２のデータフローを示す。
プリンターコントローラー２２では、ネットワークを経由しＰＣ（４１，４２）から送信された印刷データ（ＰＤＬ：Page Description Language/ページ記述言語）をデータ受信部５１で受信する。ＰＤＬとしては、PostScritp、ＰＤＦ、ＴＩＦＦ画像等がある。受信したＰＤＬは、断裁位置検出部（断裁位置検出手段）５２にて断裁位置を検出し、インタプリター部５３に送信される。インタプリター部５３では、ＰＤＬよりＣＭＹＫ版の画像データを生成する。生成された画像データは、画像面付け部（面付手段）５４にて用紙への面付け位置の算出処理が行われ、画像データは面付け情報と共に画像転送部５５を経由し、プリントエンジン２２７に送られる。プリントエンジン２２７では画像データが面付け情報に従って面付けされ、印刷が行われる。
その他、プリンターコントローラー２２において制御プログラムの実行により、断裁方向決定手段、断裁寸法算出手段、断裁寸法記憶手段、断裁手引き手段、断裁順付与手段が機能し、本画像形成装置は以下に説明する面付け・印刷処理を実行する。
【００２６】
図６に本実施形態の面付け・印刷処理のフローチャートを示す。本フローは、単面付けの場合である。
印刷データを受信した場合、現行の断裁位置を検知する（Ｓ６０１）。断裁位置の検知方法は後述する。
断裁位置の検出にて、図７に示すようにトンボ７０が含まれていた場合、４辺の断裁寸法７１〜７６を算出する（Ｓ６０２、Ｓ６０３）。なお、断裁順が決まってないので、図７において断裁寸法が６つ生じる。図７においてはレターサイズを画像断裁サイズの例とする。
【００２７】
原稿の断裁寸法の算出後、図８に示すような前回印刷した印刷データの断裁寸法ｍ０１〜ｍ０４、及び断裁順ｎ０１〜ｎ０４を取得し（Ｓ６０４）、前回と今回の断裁寸法を比較する（Ｓ６０５）。なお、図８において、「ｎ０１」「ｎ０２」「ｎ０３」「ｎ０４」は、断裁順を示し、その近傍の辺を断裁すべきことを示す。矢印はそのときのセット方向を示す。すなわち、トンボ外領域Ｐｓ内の矢印と「ｎ０１」「ｎ０２」「ｎ０３」「ｎ０４」は印刷される画像である。断裁順１番の「ｎ０１」にあっては、ラインｐ０１を電動紙あて部１０１に当て、ラインｑ０１を断裁位置とし、寸法ｍ０１が断裁寸法であることを示す。２〜４番目も同じ。図８においてはＡ４を画像断裁サイズの例とする。
【００２８】
比較した結果、断裁位置が前回と一致している辺があるか、また画像をシフトさせる事で断裁位置を前回と一致させる事が可能か確認する（Ｓ６０６）。
前回と断裁位置を一致させる事が可能と判断した場合、画像をどの位置に面付けするか、及び前回印刷した断裁位置との関連性を算出する（Ｓ６０７）。
図７，図８で示した例にあっては、図９(a)に示すように前回のＡ４の画像断裁サイズの横がＸ１、縦がＹ１で、マージン寸法がそれぞれａ１，ｂ１，ｃ１，ｄ１、図９(b)に示すように今回のレターの画像断裁サイズの横がＸ２、縦がＹ２であるとき、断裁寸法が長くとれることを優先して、「ｎ０１」「ｎ０２」によって示される２辺を同時断裁の対象とする。
算出した面付け位置に従い面付けを行い（Ｓ６０８）、算出した断裁順及び用紙の断裁機へのセット方向を図１０に示すようにトンボ外領域に付与する（Ｓ６０９）。算出した断裁寸法及び断裁順をシステムに記憶し（Ｓ６１０）、印刷を行う（Ｓ６１１）。
【００２９】
図８に示す前回のＡ４印刷物の断裁順「ｎ０１」「ｎ０２」と同じ番号の断裁順「ｎ０１」「ｎ０２」を図１０に示すようにレター印刷物のトンボ外領域に付与することによって、面付手段により断裁寸法を一致させた組が、どのトンボマークとどのトンボマークとの組みかを示す画像を、断裁手引き情報として付与する。これに従いユーザーは、図８に示す「ｎ０１」の辺と、図１０に示す「ｎ０１」の辺を同時断裁し、図８に示す「ｎ０２」の辺と、図１０に示す「ｎ０２」の辺を同時断裁する。これにより、個々に断裁するよりも、断裁回数を２回縮減できる。さらに３種類目の印刷物の断裁位置を図１０に示す「ｎ０１」「ｎ０２」の辺に合わせることができれば、図８に示す「ｎ０１」「ｎ０２」の辺にも合わせることになるため、２回×２＝４回の断裁回数の縮減がなされる。図１０に示す「ｎ０５」「ｎ０６」も、後の印刷物と同時断裁できる可能性が残っており、連綿として同時断裁、断裁回数縮減による効率化が図られる。
【００３０】
以上のように面付手段は、断裁寸法記憶手段に記憶された既面付の印刷データの断裁寸法と、未面付の印刷データの断裁寸法とが少なくとも一組において一致するように当該未面付の印刷データを面付けすることを、当該既面付の印刷データが面付けされた印刷用紙と、当該未面付の印刷データを面付けする印刷用紙とが異なる条件で機能する。
【００３１】
図１１を参照して断裁位置の検知方法について説明する。
PostSctiptやＰＤＦデータの場合、データ内にTRIMBOXという断裁位置を示す情報を保持している。TrimBoxの情報は、ページ左下と右上の座標情報で断裁位置を示す。
断裁位置検出部５２では、インタプリター部５３での画像生成前に、文字列検索等の処理で、断裁位置情報を取得する。
【００３２】
図１２を参照してＴＩＦＦ等の画像データが入力された場合の検知方法について説明する。
図１２(a)に示すようにトンボ部分は、版ずれ等を検出する為、通常、Ｃ＝Ｍ＝Ｙ＝Ｋ＝１００％のデータとして生成される。そのため、ＴＩＦＦ画像からＣ＝Ｍ＝Ｙ＝Ｋ＝１００％の条件に一致する画素の座標を検出することで、断裁位置を検出する。
図１２(b)に示す例では、左端の画素から順に１画素ずつＣ＝Ｍ＝Ｙ＝Ｋ＝１００％の条件に一致するかを検出し、一致する箇所まで、検知を行う。トンボは、内トンボ、外トンボの２本線となるため、その条件に一致した２つ目の線を断裁位置として認識する。この処理を同様に、右端、上端、下端から検知を行い、４つの座標を検知する。ＴＩＦＦ画像の場合、インタプリター部５３内での画像の展開処理と同時に行うようにしてもよい。
【００３３】
次に多面付けの場合につき説明する
従来は、図１３(a)に示すような画像断裁サイズの原稿を図１３(b)に示すように長尺な用紙Ｐ１０に６ページ分をページ順で面付けして印刷する。各面の中央の数字はページ数を示す（図１５〜図１８において同じ）。この場合、ラインｑ０１及びラインｑ０２は一直線上に並ぶため、最初に断裁することで６ページで同時に断裁できる。しかし、その後、各ページの２側辺（計１２辺）を個々に断裁するため、計１４回の断裁を要する。
本処理は、上述した前回印刷したデータと断裁位置を合わせる処理とは異なり、多面付け印刷した原稿を断裁する際、多面付けされた用紙を一回断裁した後にできる異種複数枚を同時断裁できるよう面付けする手法を示すものである。
【００３４】
図１４に多面付けの場合の面付け・印刷処理のフローチャートを示す。
まず、印刷データが多面付けジョブか確認する（Ｓ１００１）。
多面付けジョブであった場合、断裁情報が含まれているかチェックし断裁位置を検出する（Ｓ１００２）。
断裁位置の検出にて、トンボが含まれていた場合、４辺の断裁寸法を算出する（Ｓ１００３、Ｓ１００４）。
図１５(a)に示すように、画像断裁サイズの横がＸ、縦がＹで、マージン寸法がそれぞれａ，ｂ，ｃ，ｄであるとして説明する。
面付けの最初の処理として、面付け数の半数（図示例で３面）を用紙に対し、左辺詰めで面付けする（Ｓ１００５，図１５(b)）。左詰めとは、用紙左辺に対し１面目をマージン寸法ａの位置で面付け、２面目以降をマージン寸法ａ＋ｂの位置で面付けする事を意味する。面付け数が奇数の場合は、半数＋１面を面付けする。
次に画像１面分を、用紙右辺に対し、マージン寸法ｂの位置で面付けする（Ｓ１００６、図１５(c)）。
【００３５】
次に右辺詰めで面付けした画像に対し、マージン寸法ａの位置にて画像１面分を面付けする（Ｓ１００８，図１６(a)）。
残りの面付け画像を、ステップＳ１００８で面付けした画像に対し、マージン寸法ａ＋ｂの位置にて面付けを繰り返す（Ｓ１０１０、Ｓ１０１１，図１６(b)）。
断裁順と断裁機へ用紙をセットする向きを示す断裁手引き情報（ｎ０１〜ｎ１０）を、トンボ外領域に付与し印刷する（Ｓ１０１２、Ｓ１０１３，図１６(c)）。
面付けした結果と、断裁手引き情報を付与した結果と、同時断裁する組みとなる断裁寸法（Ｘ＋ａ＋ｂ，２Ｘ＋ａ＋ｂ，２Ｘ＋２ａ＋２ｂ，３Ｘ＋２ａ＋２ｂ）を示すと図１７に示す通りとなる。図１８は、断裁ラインｑ０１〜ｑ１０を付したもので、その数字は断裁順に等しい。図１８(b)は、断裁ラインｑ０１〜ｑ０３を断裁した後にできる２枚の異種中間品である。断裁ラインｑ０４〜ｑ０７を同時断裁する。その後、図１８(c)に示す状態において、断裁ラインｑ０８、断裁ラインｑ０９，ｑ１０を断裁し、計１０回の断裁で完了する。従来より少ない断裁回数（従来１４回に対して１０回）で全断裁を完了する事が可能となる。
【００３６】
以上のように、面付手段は、断裁寸法記憶手段に記憶された既面付の印刷データの断裁寸法と、未面付の印刷データの断裁寸法とが少なくとも一組において一致するように当該未面付の印刷データを面付けすることを、当該既面付の印刷データが面付けされた印刷用紙と、当該未面付の印刷データを面付けする印刷用紙とが同一である条件で機能する。
また、以上のように面付手段は、断裁順付与手段と連携し、同一の印刷用紙に印刷する複数の印刷データに対して、一の断裁（ｎ０３）により分かれる別葉に断裁寸法が一致する組みの一方と他方とが分かれるように面付けし、当該一の断裁（ｎ０３）の後に当該一致する組みの同時断裁（ｎ０４〜ｎ０７）ができるようにする。
また、以上のように面付手段は、断裁順付与手段と連携し、断裁により切り離される順にページ順が並ぶように面付けする。
【００３７】
また、以上のように断裁手引き手段は、各一の断裁位置に関する断裁手引きを、当該一の断裁位置で断裁する時に、当該一の断裁位置に接するトンボ内領域から切り離される当該一の断裁位置に接するトンボ外領域に付与する。例えば２ページと４ページの間のマージンに「ｎ０５」とセット方向を示す矢印が印刷される。「ｎ０５」を、「ｎ０４」と同じマージンに印刷し、「この対辺を５番目に断裁」等の表記で断裁手引きを示すこともできるが、「ｎ０４」の断裁位置での断裁により切り離されてしまい、「ｎ０５」の断裁位置を断裁する際にその断裁手引きが無くなってしまうので、これを防ぐためである。また、「ｎ０５」を、４ページと６ページの間のマージンに印刷すると、どの辺を断裁するのかを示し難い、混乱する等の不都合があるので、当該一の断裁位置（ラインｑ０５）に接するトンボ外領域（２ページと４ページの間のマージン）に「ｎ０５」を付与する。
以上のようにして、断裁手引き情報を少ない表記で明確に示すことができる。
【００３８】
以上のようにして本実施形態によれば、異なる断裁画像サイズを単面付けした２枚や、１枚に多面付けしたものを断裁してできるレイアウトの異なる２枚などの異種複数枚を同時断裁して断裁回数を縮減することにより、生産性を向上することができる。
【符号の説明】
【００３９】
７０   トンボ
１００ 断裁機
１０１ 電動紙あて部
１０２ 断裁位置
１０３，１０４固定の紙あて部
１０５ 断裁寸法
ｍ０１-ｍ０４ 断裁寸法
Ｐ     用紙
Ｐ１０ 用紙
Ｐｍ   トンボ内領域
Ｐｓ   トンボ外領域
ｑ０１-ｑ１０ 断裁ライン
【図１】
2018001472.tif 000003
【図２】
2018001472.tif 000004
【図３】
2018001472.tif 000005
【図４】
2018001472.tif 000006
【図５】
2018001472.tif 000007
【図６】
2018001472.tif 000008
【図７】
2018001472.tif 000009
【図８】
2018001472.tif 000010
【図９】
2018001472.tif 000011
【図１０】
2018001472.tif 000012
【図１１】
2018001472.tif 000013
【図１２】
2018001472.tif 000014
【図１３】
2018001472.tif 000015
【図１４】
2018001472.tif 000016
【図１５】
2018001472.tif 000017
【図１６】
2018001472.tif 000018
【図１７】
2018001472.tif 000019
【図１８】
2018001472.tif 000020